(57)【要約】【課題】  映像出力装置におけるユーザ操作の利便性を向上させることが望まれていた。【解決手段】  実施形態の映像出力装置は、受信している放送番組の映像出力中に第１の信号を受信した場合は、前記放送番組を静止した映像を出力し、前記放送番組の録画を開始する録画部を備える。  また、前記録画開始後に、前記第１の信号を受信した場合は、前記録画を開始した前記録画番組を再生出力する再生部を備える。  また、前記録画番組の再生中に前記第１の信号を受信した場合は、前記録画番組の再生を停止する停止部を備える。  また、前記録画番組の再生停止後に前記第１の信号を受信した場合は、前記再生を停止した前記録画番組を再生出力する停止番組再生部を備える。【選択図】  図３
2013207426.tif 000002
【特許請求の範囲】
【請求項１】
受信している放送番組の映像出力中に第１の信号を受信した場合は、前記放送番組を静止した映像を出力し、前記放送番組の録画を開始する録画部と、
前記録画開始後に、前記第１の信号を受信した場合は、前記録画を開始した前記録画番組を再生出力する再生部と、
前記録画番組の再生中に前記第１の信号を受信した場合は、前記録画番組の再生を停止する停止部と、
前記録画番組の再生停止後に前記第１の信号を受信した場合は、前記再生を停止した前記録画番組を再生出力する停止番組再生部を備える映像出力装置。
【請求項２】
前記再生中の録画番組が放送されている場合に、前記録画番組の再生処理を終了する旨の指示を受信した場合は、前記再生中の前記録画番組の保存を問合せる映像を出力する請求項１に記載の映像出力装置。
【請求項３】
前記再生を停止した前記録画番組の再生出力は、前記再生を停止した際の映像が含まれるようにする請求項１に記載の映像出力装置。
【請求項４】
前記録画部は、受信している放送番組の映像出力中に前記第１の信号を受信した場合に、前記放送番組と同時に他の放送番組も受信し、複数の放送番組を録画する請求項１に記載の映像出力装置。
【請求項５】
前記再生部は、前記録画開始後に、前記第１の信号を受信した場合に、放送受信チャンネルの切換指示に応じ、前記録画された複数の放送番組の１つを再生出力する請求項４に記載の映像出力装置。
【請求項６】
前記録画された複数の放送番組の１つを再生出力中に、前記第１の信号を受信した場合は、この再生出力中の録画番組の再生を停止する請求項５に記載の映像出力装置。
【請求項７】
前記再生部は、前記録画部により前記録画番組の録画が継続して行なわれている間に、前記録画番組を再生出力する請求項１に記載の映像出力装置。
【請求項８】
前記第１の信号は、前記映像出力装置を操作するためのリモートコントローラに配置された一つのボタンの押下げに応じて受信する請求項１に記載の映像出力装置。
【請求項９】
受信している放送番組の映像出力中に第１の信号を受信した場合は、前記放送番組を静止した映像を出力し、前記放送番組の録画を開始するステップと、
前記録画開始後に、前記第１の信号を受信した場合は、前記録画を開始した前記録画番組を再生出力するステップと、
前記録画番組の再生中に前記第１の信号を受信した場合は、前記録画番組の再生を停止するステップと、
前記録画番組の再生停止後に前記第１の信号を受信した場合は、前記再生を停止した前記録画番組を再生出力するステップを備える映像出力装置の制御方法。
【請求項１０】
受信している放送番組の映像出力中に第１の信号を受信した場合は、前記放送番組を静止した映像を出力し、前記放送番組の録画を開始するステップと、
前記録画開始後に、前記第１の信号を受信した場合は、前記録画を開始した前記録画番組を再生出力するステップと、
前記録画番組の再生中に前記第１の信号を受信した場合は、前記録画番組の再生を停止するステップと、
前記録画番組の再生停止後に前記第１の信号を受信した場合は、前記再生を停止した前記録画番組を再生出力するステップを備え、映像出力装置を制御する映像出力装置の制御プログラム。
【発明の詳細な説明】
【技術分野】
【０００１】
本発明の実施形態は、映像出力装置、映像出力装置の制御方法、映像出力装置の制御プログラムに関する。
【背景技術】
【０００２】
近年、録画機器と接続され、放送番組を視聴中にこの放送番組の視聴を一時的に中断し、上記放送番組を上記録画機器に簡易に録画することが可能な映像出力装置が普及しつつある。
【０００３】
これらの映像出力装置の中には、ユーザが操作し易いように、例えば、リモートコントローラ（以下、リモコン）に専用キーを設け、上記放送番組の上記録画機器への録画や録画番組の再生を簡易にするものがある。
【０００４】
また、ユーザが上記専用キーを操作し、例えば、上記録画、再生の両方を指示することが可能な映像出力装置がある。
【０００５】
しかし、上記映像出力装置においては、上記専用キーでは、録画番組再生の一時停止や、この一時停止の解除を繰り返し指示することができず、ユーザは、他のキーを用いて操作しなければならなかった。
【０００６】
このため、映像出力装置におけるユーザ操作の利便性を向上させることが望まれていた。
【先行技術文献】
【特許文献】
【０００７】
【特許文献１】特開２００６−２９５８２１号公報
【発明の概要】
【発明が解決しようとする課題】
【０００８】
映像出力装置におけるユーザ操作の利便性を向上させることが望まれていた。
【課題を解決するための手段】
【０００９】
実施形態の映像出力装置は、受信している放送番組の映像出力中に第１の信号を受信した場合は、前記放送番組を静止した映像を出力し、前記放送番組の録画を開始する録画部を備える。
【００１０】
また、前記録画開始後に、前記第１の信号を受信した場合は、前記録画を開始した前記録画番組を再生出力する再生部を備える。
【００１１】
また、前記録画番組の再生中に前記第１の信号を受信した場合は、前記録画番組の再生を停止する停止部を備える。
【００１２】
また、前記録画番組の再生停止後に前記第１の信号を受信した場合は、前記再生を停止した前記録画番組を再生出力する停止番組再生部を備える。
【図面の簡単な説明】
【００１３】
【図１】実施形態に係わる映像出力装置の外観を示す図。
【図２】実施形態に係わる映像出力装置の構成の一例を示すブロック図。
【図３】実施形態に係わる映像出力装置に用いられるリモコンの一例を示す図。
【図４】実施形態に係わる映像出力装置の動作を説明する図。
【図５】他の実施形態に係わる映像出力装置の動作を説明する図。
【図６】実施形態に係わる映像出力装置の動作を説明するフローチャート。
【図７】他の実施形態に係わる映像出力装置の動作を説明するフローチャート。
【図８】実施形態に係わる映像出力装置において、再生中の録画番組が放送されている場合に、録画番組の再生処理を終了する旨の指示を受信し、再生中の録画番組の保存を問合せる映像を出力するようすを示す図。
【発明を実施するための形態】
【００１４】
以下、図面を参照し、実施の形態を説明する。
【００１５】
図１は、実施形態に係わる映像出力装置の外観を示す図である。
【００１６】
この実施形態においては、映像出力装置（テレビ）１は、いわゆる「追っかけ再生」を行うことが可能である。
【００１７】
「追っかけ再生」とは、ここでは、放送番組視聴中に視聴を一時的に中断して、上記放送番組を録画機器等に録画し、例えば、上記録画番組の録画が継続して行なわれている間に、実際の放送を追いかけるように、上記録画番組を再生出力することである。
【００１８】
この実施形態において、再生とは、例えば、いわゆる通常の再生、または、上記「追っかけ再生」のどちらでも良い。
【００１９】
この実施形態においては、映像出力装置（テレビ）１は、例えば、ユーザによってリモコン（リモートコントローラ）２１が操作される。このリモコン２１から出力されたリモコン信号が映像出力装置（テレビ）１の操作受信部２０で受信される。
【００２０】
リモコン信号を受信した映像出力装置（テレビ）１は、このリモコン信号の指示によって動作し、例えば、ＬＣＤ（Ｌｉｑｕｉｄ  Ｃｒｙｓｔａｌ  Ｄｉｓｐｌａｙ、液晶ディスプレイ）等で構成される表示画面（映像表示部）８に、所定の映像を表示出力する。
【００２１】
また、この映像出力装置（テレビ）１は、例えば、ＵＳＢ端子等で外付けされる外部記憶機器（ＨＤＤ等）１９を備えている。そして、例えば、映像出力装置１で受信された放送を、この外部記憶機器１９に録画することが可能である。
【００２２】
また、この映像出力装置（テレビ）１は、この映像出力装置（テレビ）１に接続、あるいは、内蔵されるバッテリ（図示せず）を備えている。
【００２３】
このバッテリは、例えば、商用電源から給電を受け、充電することが可能である。
【００２４】
ここで、上記バッテリ３０の説明をする。バッテリ３０は、例えば、リチウムイオン二次電池やリチウムイオンポリマー二次電池を用いたバッテリパックで構成される。
【００２５】
リチウムイオン二次電池は、非水電解質 二次電池の一種で、電解質中のリチウムイオンが電気伝導を担う二次電池である。現在、正極にリチウム金属酸化物を用い、負極にグラファイトなどの炭素材を用いるものが多い。リチウムイオン二次電池は、リチウムイオン電池、リチウムイオンバッテリー、Ｌｉ−ｉｏｎ電池、ＬＩＢ、ＬｉＢとも表記されることがある。
【００２６】
また、リチウムイオンポリマー二次電池は、電解質として電解液のかわりに高分子ゲルを使用する。これも、リチウムイオン電池の一種である。
【００２７】
この実施の形態に係る映像出力装置（テレビ）１は、通常、商用電源（ＡＣ電源、図示せず）から給電を受け、動作するが、例えば、商用電源が停電し、給電が受けられない場合等に、このバッテリ３０からの給電に切替えて、動作を行なうことが可能である。
【００２８】
また、この実施形態においては、映像出力装置（テレビ）１は、放送番組を受信する。そして、受信している放送番組の映像出力中に、後述するように、ユーザによって、リモコン２１の専用キー（「ちょっとタイム」キー）３３が押下操作されると、リモコン２１から映像出力装置（テレビ）１に向けて、リモコン信号（第１の信号）が出力される。
【００２９】
そして、映像出力装置（テレビ）１がこのリモコン信号（第１の信号）を受信した場合は、上記放送番組を静止した映像を映像表示部（表示画面）８に出力する。なお、この放送番組を静止した映像に代え、予め設けられた静止映像を出力しても良い。
【００３０】
また、このとき、上記リモコン２１の専用キー（「ちょっとタイム」キー）３３が押下操作されたことを示す表示「ちょっとタイム中」１００を、映像表示部（表示画面）８に出力する。
【００３１】
そして、映像出力装置（テレビ）１は、上記放送番組の録画を開始する。
【００３２】
また、この実施の形態の映像出力装置（テレビ）１においては、上記録画開始後に、上記リモコン信号（第１の信号）を受信した場合は、上記録画を開始した上記録画番組を再生出力する。
【００３３】
また、上記録画番組の再生中に上記リモコン信号（第１の信号）を受信した場合は、上記録画番組の再生を停止する。
【００３４】
ここで、この実施形態において、再生の停止とは、上記のような「一時停止」（リモコン２１の一時停止キー４０を押下したのと同じ状態）でも良いし、また、一般的な「停止」（リモコン２１の停止キー３９を押下したのと同じ状態）でも良い。
【００３５】
また、上記録画番組の再生停止後に上記リモコン信号（第１の信号）を受信した場合は、上記再生を停止した上記録画番組を再生出力する。
【００３６】
なお、ここでは、映像出力装置（テレビ）１は映像表示部８を含む構成になっているが、例えば、映像出力装置（テレビ）１と映像表示部８が別体に構成されても良い。
【００３７】
図２は、実施形態に係わる電子機器の構成を示すブロック図である。
【００３８】
この実施形態においては、制御部１１はＣＰＵ（１２）を備えている。そして、ＣＰＵ（１２）は映像出力装置（テレビ）１を制御する。また、ＲＡＭ（１３）、ＲＯＭ（１４）、フラッシュメモリ１５は、例えば、制御部１１で行われる処理に利用される。
【００３９】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００４０】
なお、この実施形態においては、特に図示しないが、複数の放送番組を同時に受信し、同時に録画することが可能である。
【００４１】
信号処理部４で受信されたデジタル信号の映像コンテンツは信号処理が施され、音声処理部６および映像処理部５に送信される。
【００４２】
音声処理部６は、信号処理が施された映像コンテンツを受信し、音声処理を施した信号をスピーカ９に送信する。
【００４３】
スピーカ９は、音声処理が施された信号を受信し、音声を出力する。
【００４４】
また、映像処理部５は、信号処理が施された映像コンテンツを受信し、映像処理を施した信号を表示装置７に送信する。
【００４５】
表示装置７は、映像処理が施された信号を受信し、ＬＣＤパネル等で構成される表示画面（映像表示部）８に映像を表示する。
【００４６】
また、この実施の形態においては、映像出力装置（テレビ）１は内部記憶装置１７を備えている。この内部記憶装置１７は、受信した放送を録画することが可能である。
【００４７】
また、この実施の形態においては、映像出力装置（テレビ）１は、上記のようにＵＳＢ接続やＬＡＮ接続される外部記憶機器１９を備えている。上記受信された映像コンテンツはこの外部記憶機器１９に記録することも可能である。
【００４８】
また、上記のように、映像出力装置（テレビ）１に対するユーザの操作は、例えばリモコン（リモートコントローラ）２１等の操作機器によって指示される。
【００４９】
これらの処理は、上記のように、制御部１１に制御される。
【００５０】
また、映像出力装置（テレビ）１は、送受信部（ネットワークインターフェース）２２、ネットワーク（インターネット）２６を介してサーバ２７に接続され、所定の情報を、このネットワーク（インターネット）２６を介して取得することが可能である。
【００５１】
また、上記のように、映像出力装置（テレビ）１は、バッテリを構成することが可能である。
【００５２】
図３は、実施形態に係わる映像出力装置に用いられるリモートコントローラ（リモコン）の一例を示す図である。
【００５３】
図３に示すように、リモートコントローラ２１は、電源ボタン３０、テンキー３１、チャンネルアップダウンキー３２を備えている。これらのテンキー３１やチャンネルアップダウンキー３２は、放送受信チャンネルの切替え操作に用いられ、ここでは、これらのキーを、例えば、チャンネル切替えキーと呼ぶ。
【００５４】
また、リモートコントローラ２１は、「ちょっとタイム」キー３３、「今すぐニュース」キー３４、「節電」キー３５を備えている。
【００５５】
この「ちょっとタイム」キー３３は、上記リモコン２１の専用キー（「ちょっとタイム」キー）３３である。
【００５６】
そして、上記のように、ユーザによって、この「ちょっとタイム」キー３３が押下操作されると、リモコン２１から映像出力装置（テレビ）１に向けて、リモコン信号（第１の信号）が出力され、映像出力装置（テレビ）１は、このリモコン信号（第１の信号）の受信に応じて動作する。
【００５７】
また、「今すぐニュース」キー３４が押下操作されると、映像出力装置（テレビ）１は、記録部に記録されているニュース情報を映像表示部８に出力表示する。
【００５８】
また、「節電」キー３５が押下操作されると、映像出力装置（テレビ）１は、例えば、上記バッテリに蓄電された電源を用い、節電制御動作を実行する。
【００５９】
また、リモートコントローラ２１は、録画番組の再生キー３７、録画番組の逆戻しキー３６、録画番組の早送りキー３８、録画番組の再生停止キー３９、録画番組の一時停止キー４０を備えている。
【００６０】
また、リモートコントローラ２１は、終了キー８０を備えている。この終了キー８０は、例えば、後述する、再生中の録画番組が放送されている場合に、録画番組の再生処理の終了を指示する際に用いられる（図８）。
【００６１】
図４は、実施形態に係わる映像出力装置の動作を説明する図である。
【００６２】
図４に示すように、映像出力装置（テレビ）１は、例えば、チューナ３を用い、現在放送局Ａで放送されている番組Ａを受信し、映像表示部８に表示出力する。
【００６３】
すなわち、この実施形態においては、映像出力装置（テレビ）１は、上記のように、放送番組を受信する（４１）。
【００６４】
そして、受信している放送番組（放送局Ａの番組Ａ）の映像出力中に、ユーザによって、例えば、リモコン２１の専用キー（「ちょっとタイム」キー）３３が押下操作されると、リモコン２１から映像出力装置（テレビ）１に向けて、リモコン信号（第１の信号）が出力される。
【００６５】
また、上記のように、この放送番組を静止した映像に代え、予め設けられた静止映像を出力しても良い。
【００６６】
そして、映像出力装置（テレビ）１がこのリモコン信号（第１の信号）を受信した場合は、例えば、上記放送番組（放送局Ａの番組Ａ）を静止した映像を映像表示部（表示画面）８に出力する（４２）。
【００６７】
また、このとき、上記動作に連動して、上記受信中の放送番組（放送局Ａの番組Ａ）の録画を開始する（４２）。
【００６８】
この放送番組（放送局Ａの番組Ａ）の録画は、例えば、この放送番組（放送局Ａの番組Ａ）の放送が終了するまで行なわれる。なお、例えば、リモコン２１の終了キー８０が操作された場合に、図８に示すように、この録画を終了できるように構成することも可能である。
【００６９】
また、この実施形態においては、上記映像出力装置（テレビ）１が上記放送番組（放送局Ａの番組Ａ）の静止映像を出力し、録画を開始した録画中の状態（４２）で、上記「ちょっとタイム」キー３３が押下操作されると、上記と同様に、リモコン２１から映像出力装置（テレビ）１に向けて、リモコン信号（第１の信号）が出力される。
【００７０】
そして、映像出力装置（テレビ）１が、上記放送番組（放送局Ａの番組Ａ）の静止映像を出力し、録画中の状態（４２）で、上記リモコン２１から出力されたリモコン信号（第１の信号）を受信した場合は、上記録画番組（番組Ａ）を再生し、録画番組Ａの再生映像を出力する。この録画番組Ａの再生映像は、例えば、映像表示部８に表示出力される（４３）。
【００７１】
また、この実施形態においては、上記録画番組（番組Ａ）の再生出力中（４３）に、上記「ちょっとタイム」キー３３が押下操作されると、リモコン２１から映像出力装置（テレビ）１に向けて、リモコン信号（第１の信号）が出力される。
【００７２】
そして、映像出力装置（テレビ）１は、上記録画番組（番組Ａ）の再生出力中（４３）に、このリモコン信号（第１の信号）を受信すると、上記再生出力中の録画番組（番組Ａ）の再生を一時停止する（４４）。
【００７３】
また、この実施形態においては、この録画番組（番組Ａ）の再生一時停止中（４４）の状態で、上記「ちょっとタイム」キー３３が押下操作されると、リモコン２１から映像出力装置（テレビ）１に向けて、リモコン信号（第１の信号）が出力される。
【００７４】
そして、映像出力装置（テレビ）１は、この録画番組（番組Ａ）の再生一時停止中（４４）の状態で、リモコン信号（第１の信号）を受信すると、再び、録画番組（番組Ａ）を再生し、録画番組Ａの再生映像を出力する。この録画番組Ａの再生映像は、例えば、映像表示部８に表示出力される（４３）。
【００７５】
また、この実施形態においては、上記放送番組（放送局Ａの番組Ａ）の受信および映像出力中（４１）に、例えば、ユーザによって、上記チャンネル切替えキー（テンキー３１やチャンネルアップダウンキー３２等）が押下操作されると、リモコン２１から映像出力装置（テレビ）１に向けて、チャンネル切替えを指示するリモコン信号（第２の信号）が出力される。
【００７６】
そして、映像出力装置（テレビ）１がこのリモコン信号（第２の信号）を受信した場合は、上記放送番組（放送局Ａの番組Ａ）を他の放送番組（例えば放送局Ｂの番組Ｂ）に切替え受信し、映像出力することが可能である（４５）。
【００７７】
また、この実施形態においては、この放送番組（例えば放送局Ｂの番組Ｂ）を受信し、映像出力中（４５）に、上記と同様に、例えば、上記チャンネル切替えキー（テンキー３１やチャンネルアップダウンキー３２等）が押下操作されると、放送番組（放送局Ｂの番組Ｂ）を他の放送番組（例えば放送局Ａの番組Ａ）に切替え受信し、映像出力することが可能である（４１）。
【００７８】
また、同様に、この実施形態においては、上記映像出力装置（テレビ）１が上記放送番組（放送局Ａの番組Ａ）を静止した映像を出力し、録画を行なっている場合（４２）に、例えば、ユーザによって、上記チャンネル切替えキー（テンキー３１やチャンネルアップダウンキー３２等）が押下操作されると、上記と同様に、チャンネル切替えを指示するリモコン信号（第２の信号）が出力され、映像出力装置（テレビ）１は、上記放送番組（放送局Ａの番組Ａ）を他の放送番組（例えば放送局Ｂの番組Ｂ）に切替え受信し、映像出力することが可能である（４６）。
【００７９】
また、同様に、ある放送番組（例えば放送局Ｂの番組Ｂ）を受信中に、例えば、上記チャンネル切替えキー（テンキー３１やチャンネルアップダウンキー３２等）が押下操作されると、この放送番組（放送局Ｂの番組Ｂ）を他の放送番組（例えば放送局Ａの番組Ａ）に切替え受信し、映像出力することが可能である（４２）。
【００８０】
また、同様に、この実施形態においては、上記映像出力装置（テレビ）１が上記録画番組（放送局Ａの番組Ａ）の再生を行なっている場合（４３）に、例えば、ユーザによって、上記チャンネル切替えキー（テンキー３１やチャンネルアップダウンキー３２等）が押下操作されると、上記と同様に、チャンネル切替えを指示するリモコン信号（第２の信号）が出力され、映像出力装置（テレビ）１は、上記録画番組（放送局Ａの番組Ａ）の再生を他の放送番組（例えば放送局Ｂの番組Ｂ）の受信に切替え、映像出力することが可能である（４７）。
【００８１】
また、同様に、ある放送番組（例えば放送局Ｂの番組Ｂ）を受信中に、例えば、上記チャンネル切替えキー（テンキー３１やチャンネルアップダウンキー３２等）が押下操作されると、上記録画番組（放送局Ａの番組Ａ）の再生出力（４３）に切替えることが可能である（４３）。
【００８２】
すなわち、この実施形態においては、上記のように、ユーザが、このリモコン２１の「ちょっとタイム」キー３３を操作することで、何度でも、録画番組の再生中に一時停止を指示したり、この一時停止を解除させたりすることが可能になり、ユーザの利便性を向上させることが可能になる。
【００８３】
なお、上記説明においては、「ちょっとタイム」キー３３がリモコン２１に設けられる例を用いて説明を行ったが、この「ちょっとタイム」キー３３と同様の操作スイッチを、映像出力装置（テレビ等）１に設けることも可能である。
【００８４】
図５は、他の実施形態に係わる映像出力装置の動作を説明する図である。
【００８５】
この実施形態において、映像出力装置１は、上記に加え、複数の放送を同時に受信し、録画することが可能である。
【００８６】
図５に示すように、映像出力装置（テレビ）１は、例えば、チューナ３を用い、現在放送局Ａで放送されている番組Ａを受信し、映像表示部８に表示出力する。
【００８７】
すなわち、この実施形態においては、映像出力装置（テレビ）１は、上記のように、放送番組を受信する（５１）。
【００８８】
そして、受信している放送番組（放送局Ａの番組Ａ）の映像出力中に、ユーザによって、例えば、リモコン２１の専用キー（「ちょっとタイム」キー）３３が押下操作されると、リモコン２１から映像出力装置（テレビ）１に向けて、リモコン信号（第１の信号）が出力される。
【００８９】
また、上記のように、この放送番組を静止した映像に代え、予め設けられた静止映像を出力しても良い。
【００９０】
そして、映像出力装置（テレビ）１がこのリモコン信号（第１の信号）を受信した場合は、例えば、上記放送番組（放送局Ａの番組Ａ）を静止した映像を映像表示部（表示画面）８に出力する（５２）。
【００９１】
また、このとき、上記動作に連動して、上記受信中の放送番組（放送局Ａの番組Ａ）の録画を開始する（５２）。
【００９２】
この放送番組（放送局Ａの番組Ａ）の録画は、例えば、この放送番組（放送局Ａの番組Ａ）の放送が終了するまで行なわれる。なお、例えば、リモコン２１の終了キー８０が操作された場合に、図８に示すように、この録画を終了できるように構成することも可能である。
【００９３】
また、この実施形態においては、上記映像出力装置（テレビ）１が上記放送番組（放送局Ａの番組Ａ）の静止映像を出力し、録画を開始した録画中の状態（５２）で、上記「ちょっとタイム」キー３３が押下操作されると、上記と同様に、リモコン２１から映像出力装置（テレビ）１に向けて、リモコン信号（第１の信号）が出力される。
【００９４】
そして、映像出力装置（テレビ）１が、上記放送番組（放送局Ａの番組Ａ）の静止映像を出力し、録画中の状態（５２）で、上記リモコン２１から出力されたリモコン信号（第１の信号）を受信した場合は、上記録画番組（番組Ａ）を再生し、録画番組Ａの再生映像を出力する。この録画番組Ａの再生映像は、例えば、映像表示部８に表示出力される（５３）。
【００９５】
また、この実施形態においては、上記録画番組（番組Ａ）の再生出力中（５３）に、上記「ちょっとタイム」キー３３が押下操作されると、リモコン２１から映像出力装置（テレビ）１に向けて、リモコン信号（第１の信号）が出力される。
【００９６】
そして、映像出力装置（テレビ）１は、上記録画番組（番組Ａ）の再生出力中（５３）に、このリモコン信号（第１の信号）を受信すると、上記再生出力中の録画番組（番組Ａ）の再生を一時停止する（５４）。
【００９７】
また、この実施形態においては、この録画番組（番組Ａ）の再生一時停止中（５４）の状態で、上記「ちょっとタイム」キー３３が押下操作されると、リモコン２１から映像出力装置（テレビ）１に向けて、リモコン信号（第１の信号）が出力される。
【００９８】
そして、映像出力装置（テレビ）１は、この録画番組（番組Ａ）の再生一時停止中（５４）の状態で、リモコン信号（第１の信号）を受信すると、再び、録画番組（番組Ａ）を再生し、録画番組Ａの再生映像を出力する。この録画番組Ａの再生映像は、例えば、映像表示部８に表示出力される（５３）。
【００９９】
また、この実施形態においては、上記と同様に、ある放送番組（例えば放送局Ａの番組Ａ）を受信中（５１）に、例えば、上記チャンネル切替えキー（テンキー３１やチャンネルアップダウンキー３２等）が押下操作されると、他の放送番組（放送局Ｂの番組Ｂ）に切替え受信（５５）したり、また、放送番組（例えば放送局Ｂの番組Ｂ）を受信中（５５）に、例えば、上記チャンネル切替えキー（テンキー３１やチャンネルアップダウンキー３２等）が押下操作されると、放送番組（放送局Ｂの番組Ｂ）に切替え受信（５１）したりすることが可能である。
【０１００】
また、この実施形態においては、上記のように、複数の放送を同時に受信し、録画することが可能である。
【０１０１】
そして、ある放送番組（例えば放送局Ａの番組Ａ）の表示を静止し、録画処理実行中（５２）に、例えば、上記チャンネル切替えキー（テンキー３１やチャンネルアップダウンキー３２等）が押下操作されると、上記複数の放送の同時録画データを用い、例えば、他の放送番組（放送局Ｂの番組Ｂ）の表示を静止し、録画処理実行中（５６）の表示状態に切替えることが可能である。
【０１０２】
この状態で、再度、上記チャンネル切替えキー（テンキー３１やチャンネルアップダウンキー３２等）が押下操作されると、放送番組（例えば放送局Ａの番組Ａ）の表示を静止し、録画処理実行中（５２）の表示状態に戻ることが可能である。
【０１０３】
また、この実施形態においては、ある録画番組（番組Ａ）の再生（５３）中に、例えば、上記チャンネル切替えキー（テンキー３１やチャンネルアップダウンキー３２等）が押下操作されると、他の録画番組（番組Ｂ）の再生（５７）に切替えることが可能である。
【０１０４】
また、同様に、録画番組（番組Ｂ）の再生（５７）中に上記チャンネル切替えキー（テンキー３１やチャンネルアップダウンキー３２等）が押下操作されると、録画番組（番組Ａ）の再生（５３）に切替えることが可能である。
【０１０５】
そして、この実施形態においては、上記と同様に、上記録画番組（番組Ｂ）の再生出力中（５７）に、上記「ちょっとタイム」キー３３が押下操作されると、リモコン２１から映像出力装置（テレビ）１に向けて、リモコン信号（第１の信号）が出力される。
【０１０６】
そして、映像出力装置（テレビ）１は、上記録画番組（番組Ｂ）の再生出力中（５７）に、このリモコン信号（第１の信号）を受信すると、上記再生出力中の録画番組（番組Ｂ）の再生を一時停止する（５８）。
【０１０７】
また、この実施形態においては、この録画番組（番組Ｂ）の再生一時停止中（５８）の状態で、上記「ちょっとタイム」キー３３が押下操作されると、リモコン２１から映像出力装置（テレビ）１に向けて、リモコン信号（第１の信号）が出力される。
【０１０８】
そして、映像出力装置（テレビ）１は、この録画番組（番組Ｂ）の再生一時停止中（５８）の状態で、リモコン信号（第１の信号）を受信すると、再び、録画番組（番組Ｂ）を再生し、録画番組Ｂの再生映像を出力する。この録画番組Ｂの再生映像は、例えば、映像表示部８に表示出力される（５７）。
【０１０９】
また、この実施形態においては、上記録画番組（番組Ａ）の再生一時停止中（５４）に上記チャンネル切替えキー（テンキー３１やチャンネルアップダウンキー３２等）が押下操作されると、録画番組（番組Ｂ）の再生一時停止中（５８）に切替えられる。
【０１１０】
また、上記録画番組（番組Ｂ）の再生一時停止中（５８）に上記チャンネル切替えキー（テンキー３１やチャンネルアップダウンキー３２等）が押下操作されると、録画番組（番組Ａ）の再生一時停止中（５４）に切替えられる。
【０１１１】
図６は、実施形態に係わる映像出力装置の動作を説明するフローチャートである。
【０１１２】
ステップＳ１００は、ここでの開始ステップである。続いて、ステップＳ１０１に進む。
【０１１３】
ステップＳ１０１は、映像出力装置（テレビ）１の電源をＯＮにするステップである。続いて、ステップＳ１０２に進む。
【０１１４】
ステップＳ１０２は、放送チャンネルＡで放送されている番組Ａを受信し、映像表示部８に表示出力（４１）するステップである。続いて、ステップＳ１０３に進む。
【０１１５】
ステップＳ１０３は、「ちょっとタイムキー」３３が操作され、リモコン２１から出力された第１の信号を映像出力装置１が受信したかを判別するステップである。上記第１の信号を受信したと判別される場合は、ステップＳ１０４に進む（Ｙｅｓ）。上記第１の信号を受信しないと判別される場合は、ここでの処理を繰り返す（Ｎｏ）。
【０１１６】
ステップＳ１０４は、上記放送番組Ａの静止映像を表示出力し、この番組Ａを記録部（例えば、内部記録装置１７、外部記録機器１９）に録画する（４２）ステップである。続いて、ステップＳ１０５に進む。
【０１１７】
ステップＳ１０５は、上記のように、リモコン２１の「ちょっとタイムキー」３３が操作され、出力された第１の信号を受信したかを判別するステップである。第１の信号を受信したと判別される場合は、ステップＳ１０６に進む（Ｙｅｓ）。第１の信号を受信しないと判別される場合は、ここでの処理を繰り返す（Ｎｏ）。
【０１１８】
ステップＳ１０６は、上記録画番組Ａを再生（４３）するステップである。続いて、ステップＳ１０７に進む。
【０１１９】
ステップＳ１０７は、上記のように、リモコン２１の「ちょっとタイムキー」３３が操作され、出力された第１の信号を受信したかを判別するステップである。第１の信号を受信したと判別される場合は、ステップＳ１０８に進む（Ｙｅｓ）。第１の信号を受信しないと判別される場合は、ここでの処理を繰り返す（Ｎｏ）。
【０１２０】
ステップＳ１０８は、上記録画番組Ａの再生を一時停止または中断（４４）するステップである。続いて、ステップＳ１０９に進む。
【０１２１】
ステップＳ１０９は、上記のように、リモコン２１の「ちょっとタイムキー」３３が操作され、出力された第１の信号を受信したかを判別するステップである。第１の信号を受信したと判別される場合は、ステップＳ１０６に進む（Ｙｅｓ）。第１の信号を受信しないと判別される場合は、ここでの処理を繰り返す（Ｎｏ）。
【０１２２】
図７は、他の実施形態に係わる映像出力装置の動作を説明するフローチャートである。
【０１２３】
ステップＳ２００は、ここでの開始ステップである。続いて、ステップＳ２０１に進む。
【０１２４】
ステップＳ２０１は、映像出力装置（テレビ）１の電源をＯＮにするステップである。続いて、ステップＳ２０２に進む。
【０１２５】
ステップＳ２０２は、放送チャンネルＡで放送されている番組Ａを受信し、映像表示部８に表示出力（５１）するステップである。続いて、ステップＳ２０３に進む。
【０１２６】
ステップＳ２０３は、「ちょっとタイムキー」３３が操作され、リモコン２１から出力された第１の信号を映像出力装置１が受信したかを判別するステップである。上記第１の信号を受信したと判別される場合は、ステップＳ２０４に進む（Ｙｅｓ）。上記第１の信号を受信しないと判別される場合は、ここでの処理を繰り返す（Ｎｏ）。
【０１２７】
ステップＳ２０４は、上記のように、複数の放送（例えば、放送Ａと放送Ｂ等）を同時に受信しながら静止表示し、上記受信している複数の放送番組を記録部（内部記録装置１７、外部記録機器１９）に録画（５２）するステップである。続いて、ステップＳ２０５に進む。
【０１２８】
ステップＳ２０５は、「ちょっとタイムキー」３３が操作され、リモコン２１から出力された第１の信号を映像出力装置１が受信したかを判別するステップである。上記第１の信号を受信したと判別される場合は、ステップＳ２０６に進む（Ｙｅｓ）。上記第１の信号を受信しないと判別される場合は、ここでの処理を繰り返す（Ｎｏ）。
【０１２９】
ステップＳ２０６は、上記第２の信号（受信チャンネル切換操作）３３に応じ、録画番組Ａの再生（５３）、録画番組Ｂの再生（５７）等を実行するステップである。続いて、ステップＳ２０７に進む。
【０１３０】
ステップＳ２０７は、「ちょっとタイムキー」３３が操作され、リモコン２１から出力された第１の信号を映像出力装置１が受信したかを判別するステップである。上記第１の信号を受信したと判別される場合は、ステップＳ２０８に進む（Ｙｅｓ）。上記第１の信号を受信しないと判別される場合は、ここでの処理を繰り返す（Ｎｏ）。
【０１３１】
ステップＳ２０８は、上記第２の信号（受信チャンネル切換操作）３３に応じ、録画番組Ａの再生一時停止または中断（５４）、録画番組Ｂの再生一時停止または中断（５８）等を行なうステップである。続いて、ステップＳ２０９に進む。
【０１３２】
ステップＳ２０９は、「ちょっとタイムキー」３３が操作され、リモコン２１から出力された第１の信号を映像出力装置１が受信したかを判別するステップである。上記第１の信号を受信したと判別される場合は、ステップＳ２０６に進む（Ｙｅｓ）。上記第１の信号を受信しないと判別される場合は、ここでの処理を繰り返す（Ｎｏ）。
【０１３３】
上記のように構成することにより、この実施形態においては、専用キーをユーザが操作することで、録画番組の再生中に一時停止を指示したり、この一時停止を解除させたりすることが可能になる。
【０１３４】
図８は、実施形態に係わる映像出力装置において、再生中の録画番組が放送されている場合に、録画番組の再生処理を終了する旨の指示を受信し、再生中の録画番組の保存を問合せる映像を出力するようすを示す図である。
【０１３５】
例えば、上記「ちょっとタイム」１００を解除し、録画番組を再生中に、ユーザにより、リモコン２１の終了キー８０が押下された場合を想定する。
【０１３６】
このとき、この録画を行なっている放送番組の放送は終了しておらず、番組の最後まで録画はされていない。
【０１３７】
この実施形態においては、この場合に、このリモコン２１の終了キー８０の押下に連動し、図８に示すようなユーザに対する確認画面を表示出力する。
【０１３８】
ここでは、上記リモコン２１の終了キー８０の押下に連動して、「保存します」８１、および「保存しません」８２の表示が出力される。
【０１３９】
ユーザは、例えば、リモコン２１を操作し、上記「保存します」８１または「保存しません」８２のどちらかを指定する。
【０１４０】
例えば、上記録画中の放送番組を最後まで録画したい場合は、上記「保存します」８１を指定する。これにより、上記録画中の放送番組が最後まで録画され、保存される。
【０１４１】
また、上記録画中の放送番組を録画しなくとも良い場合は、上記「保存しません」８２を指定する。これにより、上記録画中の放送番組を削除し、保存されないようにすることが可能になる。
【０１４２】
これにより、録画番組の整理を補助することが可能になり、ユーザの利便性を向上させることが可能になる。
【０１４３】
すなわち、この実施形態においては、ユーザは、見ているコンテンツが放送中の番組なのか、録画している番組の再生なのかを特に判断せず、上記「ちょっとタイムキー」３３を操作することによって、映像出力装置１に所望の動作を指示することが可能になる。これにより、ユーザの利便性を向上させることができる。
【０１４４】
すなわち、上記のように、この実施形態に係る映像出力装置は、受信している放送番組の映像出力中に、例えば、リモコン２１の「ちょっとタイムキー」３４が押下され、出力された信号（第１の信号）を受信した場合は、上記放送番組を静止した映像を出力し、上記放送番組の録画を開始する録画部（例えば、内部記録装置１７、外部記録機器１９）を備える。
【０１４５】
また、上記録画開始後に、上記第１の信号を受信した場合は、上記録画を開始した上記録画番組を再生出力する再生部（例えば、制御部１１）を備える。
【０１４６】
また、上記録画番組の再生中に上記第１の信号を受信した場合は、上記録画番組の再生を停止する停止部（例えば、制御部１１）を備える。
【０１４７】
また、上記録画番組の再生停止後に上記第１の信号を受信した場合は、上記再生を停止した上記録画番組を再生出力する停止番組再生部（例えば、制御部１１）を備える。
【０１４８】
また、上記再生中の録画番組が放送されている場合に、上記録画番組の再生処理を終了する旨の指示を受信した場合は、上記再生中の上記録画番組の保存を問合せる映像を出力する（図８）。
【０１４９】
また、この実施形態においては、上記再生を停止した上記録画番組の再生出力は、上記再生を停止した際の映像が含まれるようにしている。
【０１５０】
また、上記放送番組と同時に他の放送番組も受信し、複数の放送番組を録画する。
【０１５１】
また、放送受信チャンネルの切換指示に応じ、上記録画された複数の放送番組の１つを再生出力する。
【０１５２】
また、上記録画された複数の放送番組の１つを再生出力中に、上記第１の信号を受信した場合は、この再生出力中の録画番組の再生を停止する。
【０１５３】
また、上記録画部（例えば、内部記録装置１７、外部記録機器１９）は、受信している放送番組の映像出力中に上記第１の信号を受信した場合に、上記放送番組と同時に他の放送番組も受信し、複数の放送番組を録画する。
【０１５４】
また、上記再生部（例えば、制御部１１）は、上記録画開始後に、上記第１の信号を受信した場合に、放送受信チャンネルの切換指示に応じ、上記録画された複数の放送番組の１つを再生出力する。
【０１５５】
また、上記再生部（例えば、制御部１１）は、上記録画部（例えば、内部記録装置１７、外部記録機器１９）により上記録画番組の録画が継続して行なわれている間に、上記録画番組を再生出力する。
【０１５６】
上記第１の信号は、上記映像出力装置を操作するためのリモートコントローラ２１に配置された一つのボタン（ちょっとタイムキー３３）の押下げに応じて受信する。
【０１５７】
上記のように構成することにより、上記「ちょっとタイム」１００を利用した場合に、ユーザは、視聴中の番組（コンテンツ）が現在放送中であるか、録画された番組を再生中なのかを判断し、操作する必要がなくなる。
【０１５８】
また、例えば、録画番組（コンテンツ）の再生中に、再度一時停止をしたい場合も、上記「ちょっとタイムキー」３３を操作することによって可能となる。
【０１５９】
また、上記終了キー８０を押下した場合に、保存するか保存しないかを、ユーザが選択できることにより、例えば、一時的に録画し、保存する必要がないコンテンツを簡単に整理することが可能になる。
【０１６０】
また、複数の番組を同時に受信し、記録するタイムシフト録画機能を用いる場合、上記のように構成することで、あたかも時間がストップし、タイプスリップできたように、複数の放送番組を視聴したり、チャンネル切換えしたり、することが可能になる。
【０１６１】
上記のように構成することによって、この実施の形態においては、映像出力装置におけるユーザ操作の利便性を向上させることが可能になる。
【０１６２】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１６３】
なお、上記実施形態は、記述そのものに限定されるものではなく、実施段階では、その趣旨を逸脱しない範囲で、構成要素を種々変形して具体化することが可能である。
【０１６４】
また、上記実施形態に開示されている複数の構成要素の適宜な組み合せにより種々の発明を形成できる。
【０１６５】
例えば、実施形態に示される全構成要素から幾つかの構成要素を削除してもよい。更に、異なる実施形態に亘る構成要素を適宜組み合せてもよい。
【符号の説明】
【０１６６】
１…映像出力装置（テレビ）、８…映像表示部（表示画面）、２１…リモコン、３２…チャンネル切替えキー、３３…ちょっとタイムキー、８０…終了キー。
【図１】
2013207426.tif 000003
【図２】
2013207426.tif 000004
【図３】
2013207426.tif 000005
【図４】
2013207426.tif 000006
【図５】
2013207426.tif 000007
【図６】
2013207426.tif 000008
【図７】
2013207426.tif 000009
【図８】
2013207426.tif 000010